(57)【要約】【課題】作業機が取り付けられる係止具の変位を許容しつつ係止具の変位に伴う引っ張り力がハーネスネットワークに対して局部的に作用するのを低減して作業者の疲労を軽減する。【解決手段】腰ベルト132が連結された下方延長フレーム142を脱着可能に取り付けることのできるメインフレーム140を有する背部材102と、背部材102の左右の上端部から延びる左右のショルダーベルト104L,104Rと、左右のショルダーベルト104L,104Rの先端が連結され且つ作業者の胸部に位置するジョイントバックル108と、作業機が連結される係止具114を備えたヒップパッド116と、吊り下げ部材122によって係止具114に連結された中継部材120と、中継部材120と背部材102とに連結された後側懸垂ベルト126と、中継部材120とジョイントバックル108とに連結された前側懸垂ベルト124とを含んでいる。【選択図】図１
2015039328.tif 000002
【特許請求の範囲】
【請求項１】
作業者の背中に位置する背部材であって、腰ベルトが連結された下方延長フレームを脱着可能に取り付けることのできるメインフレームを有する背部材と、
該背部材の左右の上端部から延びる左右のショルダーベルトと、
前記左右のショルダーベルトの先端が連結され且つ作業者の胸部に位置するジョイントバックルと、
作業者の腰部の脇に位置し、作業機が連結される係止具を備えたヒップパッドと、
前記係止具の上方に位置し、吊り下げ部材によって前記係止具に連結された中継部材と、
該中継部材と前記背部材とに連結された後側懸垂ベルトと、
前記中継部材と前記ジョイントバックルとに連結された前側懸垂ベルトとを含む携帯作業機用ショルダーハーネス。
【請求項２】
前記メインフレームに対する前記下方延長フレームの脱着機構が、前記メインフレームに形成された第１の形状部分と前記下方延長フレームに形成された第２の形状部分で構成され、
前記第１、第２の形状部分の係合又は離脱によって前記メインフレームに対して前記下方延長フレームが脱着可能である、請求項１に記載の携帯作業機用ショルダーハーネス。
【請求項３】
前記メインフレームの前記第１の形状部分と、前記下方延長フレームの前記第２の形状部分とが工具無しに係合又は離脱可能である、請求項２に記載の携帯作業機用ショルダーハーネス。
【請求項４】
前記メインフレーム及び前記下方延長フレームが共にプラスチック成型品であり、
前記第１の形状部分が前記メインフレームに一体成形され、
前記第２の形状部分が前記下方延長フレームに一体成形されている、請求項３に記載の携帯作業機用ショルダーハーネス。
【請求項５】
前記背部材は、腰ベルトが連結された下方延長フレームを含み、
該腰ベルトに前記中継部材が連結されている、請求項１に記載の携帯作業機用ショルダーハーネス。
【請求項６】
携帯作業機用ショルダーハーネスが、前記背部材から作業者の一方の脇の下に沿って延びる脇ベルトを更に含み、
該脇ベルトの先端が、前記ジョイントバックルに連結される、請求項１に記載の携帯作業機用ショルダーハーネス。
【請求項７】
前記脇ベルトの先端部と、該脇ベルトが位置する側の左又は右のショルダーベルトの先端部とに連結された補助ベルトを更に有する、請求項６に記載の携帯作業機用ショルダーハーネス。
【請求項８】
前記メインフレームに対して脱着可能な背当て組立体を更に有し、
該背当て組立体が背当てクッションを有し、
該背当てクッションは、作業者の背中に位置する背当て本体を含み、
前記左右のショルダーベルトが前記背当て本体の左右の上端から延びている、請求項１に記載の携帯作業機用ショルダーハーネス。
【請求項９】
携帯作業機用ショルダーハーネスが、前記背部材から作業者の一方の脇の下に沿って延びる脇ベルトを更に含み、
該脇ベルトの一端が前記メインフレームに脱着可能に連結されている、請求項１に記載の携帯作業機用ショルダーハーネス。
【請求項１０】
前記前側懸垂ベルトと前記後側懸垂ベルトとが１本の連続したベルトで構成され、
該１本のベルトは、その前端部が前記ジョイントバックルに脱着可能に連結され、後端部が前記メインフレームに脱着可能に連結されている、請求項１に記載の携帯作業機用ショルダーハーネス。
【請求項１１】
前記左右のショルダーベルトのうち、前記係止具とは反対側に位置するショルダーベルトが湾曲した形状に形作られ、
該湾曲したショルダーベルトは、作業者の後方から作業者の肩を通過して作業者の前方に進む過程で徐々に内側に変位する湾曲形状を有している、請求項１に記載の携帯作業機用ショルダーハーネス。
【請求項１２】
前記中継部材がプレート部材で構成され、
該中継部材の上端部が作業者から離れる方向に傾斜した形状を有し、
該傾斜した上端部に前記吊り下げ部材が連結されている、請求項１に記載の携帯作業機用ショルダーハーネス。
【発明の詳細な説明】
【技術分野】
【０００１】
本発明は、刈り払い機、剪枝機などの携帯作業機を支持するためのショルダーハーネスに関する。
【背景技術】
【０００２】
携帯作業機は作業者が携帯して作業することから、作業中、作業者の両腕に負担がかかる。これを軽減するためにショルダーハーネスが使われている。ショルダーハーネスは、作業者の背中に位置決めされる背部材と、この背部材に連結した左右のショルダーベルトとを少なくとも含むハーネスネットワークで作業者の上半身を包囲する構造を有している。
【０００３】
図１４は、特許文献１に開示のショルダーハーネスの概要を示す。図１４に示す従来の第１のショルダーハーネス１は、背部材２に連結された脇ベルト１１を含み、この脇ベルト１１の前端が作業者の前方で左右のショルダーベルトＳＢと合流することでハーネスネットワーク４が構成されている。そして、このハーネスネットワーク４に、ヒップパッド５を備えたフックなどの係止具８が連結されている。この係止具８に作業機（図示せず）が着脱可能に取り付けられる。具体的には、ヒップパッド５の上部に横方向に延びるトンネル部５ａが形成され、このトンネル部５ａに挿通された一本の連続した懸垂紐６の一端が背部材２に連結され、他端が作業者の胸プレートに連結されている。ヒップパッド５は、また、第２の懸垂部材である懸垂ベルト７によって背部材２に連結されている。
【０００４】
図１５は、特許文献２に開示のショルダーハーネスの概要を示す。図１５に示す従来の第２のショルダーハーネス１０のハーネスネットワーク１３は、背部材２の上端部に連結されて斜めに延びる第１の斜行ベルト１１Ａを含んでいる。この第１の斜行ベルト１１Ａは、背部材２の上端部から作業者の左脇を斜め下方に進みながら作業者の前方まで延びて腰ベルト１２と合流している。したがって、この第１の斜行ベルト１１Ａは実質的に脇ベルトを構成している。腰ベルト１２は背部材２を横断して作業者の右側に延長した延長部１２ａを有し、この延長部１２ａの先端が、背部材２の上端部から斜めに延びる第２の斜行ベルト１１Ｂに連結されている。ヒップパッド５を備えた係止具８は、前後の２本の懸垂ベルト１４、１５を介してハーネスネットワーク１３に連結されている。具体的には、前側懸垂ベルト１４が第１斜行ベルト１１Ａと腰ベルト１２の合流部分に連結され、他方、後側懸垂ベルト１５が腰ベルト１２の延長部１２ａとショルダーベルトＳＢとの合流部分に連結されている。
【０００５】
図１６は、特許文献３、４に開示のショルダーハーネスの概要を示す。図１６に示す従来の第３のショルダーハーネス２０は、背部材２に連結された脇ベルト１１及び腰ベルト３を含んでハーネスネットワーク２１が構成されている。ヒップパッド５を備えた係止具８は、前後の２本の懸垂ベルト１４、１５を介してハーネスネットワーク２１に連結されている。具体的には、前側懸垂ベルト１４が脇ベルト１１の前端に連結され、他方、後側懸垂ベルト１５が背部材２に連結されている。図中、参照符号１６は、抜き挿し可能なジョイントバックルを示し、このジョイントバックル１６は作業者の胸部に位置決めされる。
【０００６】
図１７は、特許文献５に開示のショルダーハーネスの概要を示す。図１７に示す従来の第４のショルダーハーネス３０は、背部材２に連結された左右の２本の脇ベルト３１、３２を含んでハーネスネットワーク３３が構成されている。係止具８を含むヒップパッド５は、前後の２本の懸垂ベルト１４、１５を介してハーネスネットワーク３３に連結されている。具体的には、前側懸垂ベルト１４が左側脇ベルト３１の前端に連結され、後側懸垂ベルト１５が背部材２に連結されている。
【先行技術文献】
【特許文献】
【０００７】
【特許文献１】ＷＯ２００８／０７６０１０号Ａ１公報
【特許文献２】ＵＳＰ5,913,464号公報
【特許文献３】ＵＳ6,247,624Ｂ１号公報
【特許文献４】ＷＯ２００８／１４７２５６Ａ１号公報
【特許文献５】特開２００５−１４３４５３号公報
【発明の概要】
【発明が解決しようとする課題】
【０００８】
上述した従来の複数の形式のショルダーハーネスから分かるように、従来のショルダーハーネスは複数の懸垂ベルト又は懸垂紐を使って係止具（ヒップパッド）をハーネスネットワークに連結する構成が採用され、これにより係止具に取り付けた作業機を左右に動かしたとしても、この作業機の動きに追従して係止具が適度に移動することができるため、作業者の作業性に支障を及ぼすことなく作業機の荷重を作業者の上半身に分散することができる。しかしながら、従来のショルダーハーネスにおいては、係止具（ヒップパッド）を複数の懸垂ベルト又は紐を介してハーネスネットワークに連結する構成が採用されていることに伴って次の問題が生じる。
【０００９】
作業機の移動が所定の範囲内であれば、懸垂ベルト又は懸垂紐の適度な弛みを伴いながら係止具（ヒップパッド）が移動できるが、作業機を大きく移動させたときには、これに追従して係止具も大きく移動し、これによって前側又は後側の一方の懸垂ベルト又は紐が引っ張られる状態になる。そして、その影響がハーネスネットワークの一部に及び、その結果、作業者の上半身に対して局部的に片寄った引っ張り力が作用してしまう。そして、この片寄った引っ張り力は、これが作用する部位や力の大きさが時々刻々と変化するため、これに耐えながら作業する作業者の疲労蓄積の要因になる。
【００１０】
本発明の目的は、作業機が取り付けられる係止具の変位を許容しつつ係止具の変位に伴う引っ張り力がハーネスネットワークに対して局部的に作用するのを低減して作業者の疲労を軽減することのできる携帯作業機用ショルダーハーネスを提供することにある。
【００１１】
本発明の更なる目的は、比較的重量のある作業機と比較的軽量である作業機との使い分けが可能な携帯作業機用ショルダーハーネスを提供することにある。
【００１２】
本発明の更なる目的は、作業機が取り付けられる係止具の変位を許容しつつ係止具の変位に伴う引っ張り力によってハーネスネットワークに局所的な変形が発生するのを低減することのできる携帯作業機用ショルダーハーネスを提供することにある。
【課題を解決するための手段】
【００１３】
上記の技術的課題は、本発明によれば、
作業者の背中に位置する背部材(102)であって、腰ベルト(132)が連結された下方延長フレーム(142)を脱着可能に取り付けることのできるメインフレーム(140)を有する背部材(102)と、
該背部材(102)の左右の上端部から延びる左右のショルダーベルト(104L,104R)と、
前記左右のショルダーベルト(104L,104R)の先端が連結され且つ作業者の胸部に位置するジョイントバックル(108)と、
作業者の腰部の脇に位置し、作業機が連結される係止具(114)を備えたヒップパッド(116)と、
前記係止具(114)の上方に位置し、吊り下げ部材(122)によって前記係止具(114)に連結された中継部材(120)と、
該中継部材(120)と前記背部材(102)とに連結された後側懸垂ベルト(126)と、
前記中継部材(120)と前記ジョイントバックル(108)とに連結された前側懸垂ベルト(124)とを含む携帯作業機用ショルダーハーネス(100)を提供することにより達成される。
【００１４】
本発明によれば、ハーネスネットワークが、少なくとも背部材(102)、左右のショルダーベルト(104L,104R)を含む。好ましい実施形態では、ハーネスネットワークは、ジョイントバックル(108)に連結される脇ベルト(106)を更に含む。そして、このハーネスネットワークに対して、中継部材(120)を介して係止具(114)が連結される。この構成つまり、作業機を係止する係止具(114)とハーネスネットワークとの間に中継部材(120)を介在させる構成によって、係止具(114)の変位を許容しつつ係止具(114)の変位に伴う引っ張り力がハーネスネットワークに対して局部的に作用するのを低減することができる。
【００１５】
また、本発明のショルダーハーネス(100)は、背部材(102)がメインフレーム(140)を含み、このメインフレーム(140)に対して、腰ベルト(132)が連結された下方延長フレーム(142)を脱着可能に取り付けることができる。下方延長フレーム(142)を取り付けることで、比較的重い作業機に適したショルダーハーネスを形作ることができる。換言すれば、下方延長フレーム(142)無しの形態では、比較的軽量な作業機に適したショルダーハーネスを形作ることができる。
【００１６】
メインフレーム(140)に対する下方延長フレーム(142)の脱着手段として、ボルトナットなどの締結手段を採用してもよいが、好ましくは、メインフレーム(140)及び下方延長フレーム(142)の各々に形成した形状部分が互いに係合又は離脱する機構を採用するのが好ましい。更に好ましくは、この係合及び離脱を工具無しに行うことができる機構を採用するのが好ましい。
【００１７】
本発明の他の目的、作用効果は、以下の好ましい実施例の詳細な説明から明らかになろう。
【図面の簡単な説明】
【００１８】
【図１】実施例のショルダーハーネスの正面図であり、比較的重量物の作業機を使うときのフル形態を示す。
【図２】図１に図示のショルダーハーネスの背面図であり、ショルダーハーネスに含まれるヒップパッドの図示を省略してある。
【図３】実施例のショルダーハーネスに含まれる２分割構造の背部材の背面図である。
【図４】背部材のメインフレームの正面図である。
【図５】図４に図示のメインフレームの背面図である。
【図６】実施例のショルダーハーネスに含まれる背当て組立体の背面図である。
【図７】メインフレームに脇ベルトを固定する第１ステップを説明するための図である。
【図８】メインフレームに脇ベルトを固定する第２ステップ（最終ステップ）を説明するための図である。
【図９】メインフレームに脱着可能に連結される下方延長フレームの正面図である。
【図１０】図９に図示の下方延長フレームの背面図である。
【図１１】メインフレームと下方延長フレームとの連結部分を示す部分図であり、メインフレームに下方延長フレームを固定した状態を示す。
【図１２】中継部材及びこれに吊り下げられた係止具及びヒップパッドの正面図である。
【図１３】図１２のＸ１３−Ｘ１３に沿った断面図である。
【図１４】特許文献１に開示のショルダーハーネスの概略図である。
【図１５】特許文献２に開示のショルダーハーネスの概略図である。
【図１６】特許文献３、４に開示のショルダーハーネスの概略図である。
【図１７】特許文献５に開示のショルダーハーネスの概略図である。
【発明を実施するための形態】
【実施例】
【００１９】
以下に、添付の図面に基づいて本発明の好ましい実施例を説明するが、実施例の説明において、実施例のショルダーハーネスを作業者が装着したときに作業者の左側に位置する場合を「左」と呼び、作業者の右側に位置する場合を「右」と呼ぶ。また、「前」、「後」という用語は、ショルダーハーネスを作業者が装着したときに作業者の前側に位置する場合を「前」と呼び、作業者の後側に位置する場合を「後」と呼ぶ。
【００２０】
図１は、実施例のショルダーハーネス１００を前方から見た正面図である。図２はショルダーハーネス１００の背面図である。ショルダーハーネス１００は、基本的には、作業者の背中に位置する背部材１０２と、この背部材１０２から作業者の左右の肩を通過して作業者の前に位置する左右のショルダーベルト１０４とを有する。左側のショルダーベルトには参照符号「Ｌ」を付記してある。右側のショルダーベルトには参照符号「Ｒ」を付記してある。
【００２１】
ショルダーハーネス１００は、好ましくは作業者の左側の脇の下に沿って横方向に延びる脇ベルト１０６を有する。左右のショルダーベルト１０４Ｌ、１０４Ｒの先端と脇ベルト１０６はジョイントバックル１０８に連結されて、作業者の胸部で合流している（図１）。
【００２２】
ジョイントバックル１０８は、従来と同様に、左バックル１０８Ｌと右バックル１０８Ｒとで構成され、これらは分離可能である。左バックル１０８Ｌに左ショルダーベルト１０４Ｌ及び脇ベルト１０６の先端が連結されている。右バックル１０８Ｒに右ショルダーベルト１０４Ｒの先端が連結されている。
【００２３】
好ましい態様として、任意であるが、左ショルダーベルト１０４Ｌの先端部と脇ベルト１０６の先端部とを補助ベルト１１０で連結するのがよい。
【００２４】
以上が実施例のショルダーハーネス１００のハーネスネットワーク１１２の構成である。このハーネスネットワーク１１２は、前述したように脇ベルト１０６を含んでいるが、脇ベルト１０６は必須ではなく、脇ベルト１０６無しのネットワークであってもよい。左右のバックル１０８Ｌ、１０８Ｒを合体させることにより作業者はショルダーハーネス１００を装着することができる。他方、左右のバックル１０８Ｌ、１０８Ｒを分離させることにより作業者はショルダーハーネス１００を身体から取り外すことができる。
【００２５】
図１を参照して、ショルダーハーネス１００は、係止具１１４を備えたヒップパッド１１６を有している。ヒップパッド１１６は作業者の腰部の右側に位置する。すなわち、作業者の左側に脇ベルト１０６が位置しているが、この脇ベルト１０６とは反対側である右側にヒップパッド１１６が位置している。
【００２６】
係止具１１４はフックで構成され、この係止具１１４に、従来と同様に、例えば刈り払い機（図示せず）が連結される。ヒップパッド１１６（係止具１１４）は中継部材１２０を介してハーネスネットワーク１１２に連結されている。なお、図２では、ヒップパッド１１６の図示を省略してある。
【００２７】
引き続き図１を参照して、中継部材１２０はプレート部材で構成され、この中継部材１２０に、１本の幅広のベルト、紐などの吊り下げ部材１２２を介して係止具１１４（ヒップパッド１１６）が吊り下げられている。そして、中継部材１２０は、前後の２本の懸垂ベルト１２４、１２６によってハーネスネットワーク１１２に連結されていてもよいし、これら前後の懸垂ベルト１２４、１２６を１本の連続したベルトで構成してもよい。具体的には、前側の懸垂ベルト１２４の上端が右バックル１０８Ｒに連結されている。他方、後側の懸垂ベルト１２６の上端が背部材１０２に連結されている。なお、吊り下げ部材１２２は実施例では１本であるが複数本であってもよい。
【００２８】
上述したように、ショルダーハーネス１００は、ハーネスネットワーク１１２と係止具１１４（ヒップパッド１１６）との間に中継部材１２０が介在されている。この中継部材１２０が存在することにより、係止具１１４に取り付けた携帯型作業機の重量がハーネスネットワーク１１２に局部的に作用するのを緩和することができる。また、作業機の動きに伴ってヒップパッド１１６が振り子のように比較的自由に揺動することができるため、係止具１１４の揺動に伴う引っ張り力がハーネスネットワーク１１２に対して局部的に作用するのを抑制することができる。係止具１１４とハーネスネットワーク１１２との間に中継部材１２０が介在することに伴うこれらの利点が作業者の疲労軽減に貢献できるのは言うまでもない。
【００２９】
中継部材１２０が存在することによる利点を次のように説明することもできる。ショルダーハーネス１００は、中継部材１２０をハーネスネットワーク１１２に実質的に組み込む構造であるため、作業機（図示せず）を大きく移動させたときに中継部材１２０に加わる静荷重や動荷重を効果的にハーネスネットワーク１１２に分散でき、またハーネスネットワーク１１２に局部的な引っ張り力が作用するのを抑制できる。更に中継部材１２０に吊り下げられている係止具１１４（ヒップパッド１１６）は、その近傍に位置している中継部材１２０に支持されて自由に揺動できるため、中継部材１２０が安定した状態を維持できる程度の作業機の移動であれば、この作業機の移動に伴う係止具１１４（ヒップパッド１１６）の移動が直接的にハーネスネットワーク１１２に影響を及ぼすことはない。このことは、作業機を移動するたびに、作業者の上半身に対して局部的に片寄った引っ張り力が作用してしまうのを防止できることを意味し、また、作業中に、ハーネスネットワーク１１２に対して引っ張り力が作用する部位や力の大きさが時々刻々と変化するのを低減できることを意味している。
【００３０】
図２に図示の背部材１０２は下方に延びる延長部１３０を有し、この延長部１３０に腰ベルト１３２が連結されている。そして、この腰ベルト１３２に上述した中継部材１２０が連結されている。背部材１０２の延長部１３０は、その上方に位置する主部１３４と一体構造であってもよいが、後に説明するように主部１３４と延長部１３０とが分離可能であるのが好ましい。
【００３１】
背部材１０２を、互いに分離可能な主部１３４と延長部１３０とで構成することにより、背部材１０２を延長部１３０無しの簡易形態と、延長部１３０有りのフル形態との２つの形態で使い分けることができる。延長部１３０有りの背部材１０２はフル形態（腰ベルト１３２有り）のショルダーハーネス１００を構成し、比較的重い作業機を使うときに好適である。他方、延長部１３０無しの背部材１０２は簡易形態（腰ベルト１３２無し）のショルダーハーネス１００を構成し、比較的軽い作業機を使うときに好適である。
【００３２】
以下にショルダーハーネス１００を構成する各パーツを、添付の図面を参照して説明する。図３は背部材１０２の背面図である。背部材１０２は、上述した主部１３４を構成するメインフレーム１４０と、上述した延長部１３０を構成する下方延長フレーム１４２とで構成されている。下方延長フレーム１４２はメインフレーム１４０に対して脱着可能である。メインフレーム１４０及び下方延長フレーム１４２はＰＥ、ＰＰ、ナイロンのような合成樹脂の成型品である。
【００３３】
図４、図５はメインフレーム１４０を示す。図４はメインフレーム１４０の正面図である。図５はメインフレーム１４０の背面図である。このメインフレーム１４０の前面に、図６に図示の背当て組立体１４６が配置される。
【００３４】
説明の都合上、背当て組立体１４６を先に説明する。図６は背当て組立体１４６の背面図である。背当て組立体１４６は、クッションパッドを主体に作られた背当てクッション１４８を有する。背当てクッション１４８は、作業者の背中に位置する背当て本体１５０と、その左右の上端から延びる左右のショルダーベルト１０４Ｌ、１０４Ｒとで構成されている。そして、左ショルダーベルト１０４Ｌ、右ショルダーベルト１０４Ｒには高密度繊維（ポリエステル繊維やナイロン繊維など）からなる帯状のショルダーストラップ１５２Ｌ、１５２Ｒが縫い付けられている。また、背当て本体１５０の中央部分に中央ストラップ１５４が縫い付けられている。
【００３５】
当業者であれば図６の背当て組立体１４６の形態を見て、左右のショルダーベルト１０４Ｌ、１０４Ｒが非対称であることを直ちに認識することであろう。
【００３６】
具体的には、右ショルダーベルト１０４Ｒが真っ直ぐな帯状の形態を有しているのに対して、左ショルダーベルト１０４Ｌは、内側つまり右側に向けて湾曲した帯状の形態を有している。すなわち、左ショルダーベルト１０４Ｌが作業者の後方から作業者の肩を通過して作業者の前方に進む過程で徐々に内側つまり右側に変位する湾曲形状を有し、更に、左ショルダーベルト１０４Ｌの前端部は徐々にジョイントバックル１０８（図１、作業者の胸の中央に位置）に向けて変位する僅かに湾曲した形状を有している。換言すれば、左ショルダーベルト１０４Ｌは、作業者の後方から作業者の左肩を通過して作業者の前方に進む部位から先端部まで右側に湾曲した形状を有している。これにより、左ショルダーベルト１０４Ｌは、その湾曲形状によって、ジョイントバックル１０８に向けて自然に差し向けられることになる。
【００３７】
図１を参照して、作業機が係止される係止具１１４（ヒップパッド１１６）は作業者の腰部の右側に位置している。したがって、作業機の荷重は、右ショルダーベルト１０４Ｒに比べて左ショルダーベルト１０４Ｌの方により多く加わる。そして、作業機を大きく移動させたときには、この左ショルダーベルト１０４Ｌに引っ張り力が作用する傾向になるのは否めない。この引っ張り力が作用する方向と一致するように左ショルダーベルト１０４Ｌにおける作業者の左肩から前方に位置する部分を湾曲形状に予め形作ることで、左ショルダーベルト１０４Ｌに引っ張り力が作用しても、これが原因で左ショルダーベルト１０４Ｌの作業者の肩と当接する部分の位置及び形状が変化しない。これにより、大きな引っ張り力が左ショルダーベルト１０４Ｌに作用しても作業者の左肩の部分のフィット感を維持することができる。また、仮に大きな引っ張り力が左ショルダーベルト１０４Ｌに作用しても、左ショルダーベルト１０４Ｌが作業者の左肩の部分で捻れ等の変形が発生しないため左ショルダーベルト１０４Ｌの耐久性を向上することができる。
【００３８】
また、左ショルダーベルト１０４Ｌの先端部分は前述した補助ベルト１１０によって脇ベルト１０６に連結されている。これにより、左ショルダーベルト１０４Ｌの先端部分が作業機からの荷重によって右側に変位するのを補助ベルト１１０によって抑制することができる。これにより、左ショルダーベルト１０４Ｌが作業者の左肩の部分で捻れ等の変形が発生するのを更に抑制することができる。
【００３９】
背部材１０２のメインフレーム１４０は作業者の背中の部分に位置決めされる。図４、図５を参照して、メインフレーム１４０は、その上端部の左右の角部と、メインフレーム１４０の中央部との三箇所に、背当て組立体１４６を固定するためのバックル部１６０が形成され、この逆三角形の３つの頂点に位置する３つのバックル部１６０を使って背当て組立体１４６がメインフレーム１４０に固定される。３つの背当て組立体用バックル部１６０は、夫々、背当て組立体１４６の２本のショルダーストラップ１５２と１本の中央ストラップ１５４を受け入れる第１〜第３の３つのスリット１６２、１６４、１６６で構成され、これら互いに離間して位置する第１、第２、第３のスリット１６２、１６４、１６６の順にショルダーストラップ１５２又は中央ストラップ１５４の端部を通過させることにより固定される。勿論、ショルダーストラップ１５２又は中央ストラップ１５４の長さ調整も可能である。好ましくは第１スリット１６２の近傍に凹凸形状の滑り止め部１６８を形成するのがよい。
【００４０】
メインフレーム１４０は、その下部の左側縁に垂直方向に延びる１つの縦スリット１７０を有し、この縦スリット１７０を使って脇ベルト１０６の端が固定される。図７、図８を参照して、脇ベルト１０６の端部には、上下に離間して２対のスナップ嵌めホックつまりスナップファスナ１７２、１７２が取り付けられている。脇ベルト１０６の端部をメインフレーム１４０に固定する作業は次の通りである。先ず、脇ベルト１０６の端部を縦スリット１７０を通過させる(図７)。次いで、脇ベルト１０６の端部を折り返し、そして２対のスナップファスナ１７２、１７２をロックする（図８）。変形例として、スナップファスナ１７２の代わりに面ファスナを採用してもよい。
【００４１】
メインフレーム１４０は、その下端部の右側に後側懸垂ベルト１２６の上端部を固定するためのバックル部１７６が形成されている。このバックル部１７６はメインフレーム１４０の下端部から右下方向に突出した部分に形成されている。このバックル部１７６は、互いに離間した第１、第２のスリット１７８、１８０で構成され、これらスリット１７８、１８０の近傍に凹凸形状の滑り止め部１８２が形成されている。このバックル部１７６に対する後側懸垂ベルト１２６（図１）の固定方法は上述したショルダーストラップ１５２、中央ストラップ１５４と実質的に同じである。
【００４２】
この後側懸垂ベルト１２６と、右バックル１０８Ｒに連結される前側懸垂ベルト１２４とは別のベルトで構成してもよいが、これら前後の懸垂ベルト１２４、１２６を一本の連続したベルトで構成してもよいのは前述した通りである。
【００４３】
メインフレーム１４０は、その下端部に上下に離間した上方開口１８６と下方開口１８８とを有する。この上下の開口１８６、１８８は、下方延長フレーム１４２をメインフレーム１４０に連結するための連結部１９０を構成する。上方開口１８６は実質的に円形である。これに対して、下方開口１８８は細長い形状を有し、そして、この下方開口１８８は円弧状に延びている。この下方開口１８８の円弧の中心は上方開口１８６の中心に位置決めされている。
【００４４】
図４、図５から分かるように、円弧状に延びる帯状の下方開口１８８の一端には第１の拡大部１８８ａが形成されている。また、実質的に円形の上方開口１８６には、上記下方開口１８８の第１の拡大部１８８ａに整合した直径方向に延びる一対の第２の拡大部１８６ａが形成されている。図５を参照して、メインフレーム１４０の背面側には、上記上下の開口１８６、１８８の縁部に段部１８６ｂ、１８８ｂが形成されている。この上下の開口１８６、１８８を使った下方延長フレーム１４２の連結構造については後に説明する。
【００４５】
図９、図１０は下方延長フレーム１４２を示す。図９は正面図である。図１０は背面図である。下方延長フレーム１４２は正面視したときに逆Ｔ字状の形状を有する。下方延長フレーム１４２の下端部１４２ａは横方向に延びている。この下端部１４２ａには、その中央部分に左右に離間した２つの開口１９４Ｌ、１９４Ｒが形成されている。この左右の開口１９４Ｌ、１９４Ｒを通過させることにより腰ベルト１３２が下方延長フレーム１４２に組み付けられる（図１、図２）。
【００４６】
図１０を参照して、下方延長フレーム１４２の背面には、その上部に、上方ピン１９６と下方ピン１９８とが一体成形されている。この上下のピン１９６、１９８は、上述したメインフレーム１４０の上下の開口１８６、１８８（図４、図５）に対応して位置している。実質的に円形である第１開口１８６に対応した上方ピン１９６は、上方開口１８６と実質的に同じ直径の円形軸部１９６ａと、この円形軸部１９６ａの上端に形成された直径方向に突出した一対の突起１９６ｂ、１９６ｂとを有している。
【００４７】
円弧状に延びる帯状の下方開口１８８に対応して位置している下方ピン１９８は、下方開口１８８の幅寸法と実質的に同じ幅を有する軸部１９８ａと、この軸部１９８ａの上端に形成され且つ下方開口１８８の幅方向に突出した一対の突起１９８ｂ、１９８ｂとを有している。
【００４８】
メインフレーム１４０の一体成形した第１の形状部分つまり上下の開口１８６、１８８と、下方延長フレーム１４２の一体成形した第２の形状部分つまり上下のピン１９６、１９８との相互の係合又は離脱によって、工具無しに、また、ボルトナットのような締結具無しに、メインフレーム１４０に対して下方延長フレーム１４２を脱着することができる。
【００４９】
特に実施例では、メインフレーム１４０に対して下方延長フレーム１４２を回動させる操作を行うことでメインフレーム１４０に対して下方延長フレーム１４２を脱着することができる。すなわち、メインフレーム１４０に下方延長フレーム１４２を連結するときには、メインフレーム１４０の前面に下方延長フレーム１４２を位置させ、そして、図３に破線で図示する傾斜した位置でメインフレーム１４０の上下の開口１８６、１８８に下方延長フレーム１４２の上下の突起１９６ｂ、１９８ｂを挿入させて図３の実線で示す位置まで回転させることでメインフレーム１４０と下方延長フレーム１４２とを一体化することができる（図１１）。下方延長フレーム１４２を取り外すときには、その逆の回転操作をすることで取り外すことができる。
【００５０】
図３に矢印で示す下方延長フレーム１４２の回動操作を行っている最中は、下方延長フレーム１４２の上下のピン１９６、１９８の夫々の突起１９６ｂ、１９８ｂが上述した段部１８６ｂ、１８８ｂに擦接する。
【００５１】
図１２は中継部材１２０と、これに吊り下げ部材１２２によって連結された係止具１１４と、係止具１１４を上端部に設置したヒップパッド１１６とを示す正面図である。この実施例では、吊り下げ部材１２２は長さ調整可能な帯状のベルトで構成されている。
【００５２】
図１３は図１２のＸ１３−Ｘ１３に沿って切断した断面図である。中継部材１２０はプラスチック製のプレート状の成型品で構成され、図１３から良く分かるように、その上端部が外方つまり作業者の体側から離れる方向に傾斜した形状を有している。すなわち、中継部材１２０の上端部１２０ａは、これを側面視したときに、作業者の体側から離れる方向に斜めに傾斜して上方に延びている。そして、この上端部１２０ａに吊り下げ部材１２２が係止されている。この図１３の参照符号１２０ｂは、腰ベルト１３２を挿通するための開口を示す。
【００５３】
上述したように、中継部材１２０の上端部１２０ａが作業者の体側から離れる方向に傾斜しており（傾斜角度が６０°）、この傾斜した上端部１２０ａに吊り下げ部材１２２を係止したことから、作業機の荷重によって中継部材１２０は作業者の体側から離れる方向に逃げる傾向になる。換言すれば、中継部材１２０が仮に平板状であったとしたら、作業機の荷重によって中継部材１２０が作業者の体側に食い込む傾向になる。また、中継部材１２０の高さ方向中間部や下端部に吊り下げ部材１２２を係止した場合にも作業機の荷重によって中継部材１２０が作業者の体側に食い込む傾向になる。これに対して、上述した図１３に図示のような上端部１２０ａが外方に傾斜した形状の中継部材１２０を採用することで、作業中に中継部材１２０が作業者の体側に食い込んでしまうのを防止することができる。
【産業上の利用可能性】
【００５４】
本発明は、刈り払い機、ポールプルーナー（長いメインパイプの先にチェーンソータイプの鋸刃作業部が取り付けられている携帯作業機）、シャフトヘッジトリマ（長いメインパイプの先に往復動刃作業部が取り付けられている携帯作業機）など、作業者が腰部付近に吊り下げて作業可能な携帯作業機の全てに好適に適用できる。
【符号の説明】
【００５５】
１００  実施例のショルダーハーネス
１０２  背部材
１０４  ショルダーベルト
１０４Ｌ  左ショルダーベルト
１０４Ｒ  右ショルダーベルト
１０６  脇ベルト
１０８  ジョイントバックル
１０８Ｌ  ジョイントバックルの左バックル
１０８Ｒ  ジョイントバックルの右バックル
１１０  補助ベルト（左ショルダーベルト−脇ベルト）
１１２  ハーネスネットワーク
１１４  係止具
１１６  ヒップパッド
１２０  中継部材
１２０ａ  中継部材の上端部
１２０ｂ  腰ベルトの挿通開口
１２２  吊り下げ部材
１２４  前側懸垂ベルト
１２６  後側懸垂ベルト
１３２  腰ベルト
１４０  背部材のメインフレーム
１４２  背部材の下方延長フレーム
１４６  背当て組立体
１４８  背当てクッション
１５０  背当て本体
【図１】
2015039328.tif 000003
【図２】
2015039328.tif 000004
【図３】
2015039328.tif 000005
【図４】
2015039328.tif 000006
【図５】
2015039328.tif 000007
【図６】
2015039328.tif 000008
【図７】
2015039328.tif 000009
【図８】
2015039328.tif 000010
【図９】
2015039328.tif 000011
【図１０】
2015039328.tif 000012
【図１１】
2015039328.tif 000013
【図１２】
2015039328.tif 000014
【図１３】
2015039328.tif 000015
【図１４】
2015039328.tif 000016
【図１５】
2015039328.tif 000017
【図１６】
2015039328.tif 000018
【図１７】
2015039328.tif 000019